(57)【特許請求の範囲】
【請求項１】
鉄骨躯体部分とコンクリート床スラブとコンクリート外壁とからなる複数階層の複合構造建物の施工方法であって、
前記鉄骨躯体部分の建方と前記床スラブのコンクリート打設とを先行して複数階層に亘って行い、その後、前記外壁のコンクリート打設を複数階層に亘って行う複合構造建物の施工方法。
【請求項２】
複数階層に亘って外壁のコンクリート打設を行うに当たり、打設起点階から順次上層階側に向かってコンクリートを打設していく複数の順打ち範囲に複数階層を区分けする請求項１に記載の複合構造建物の施工方法。
【請求項３】
異なる順打ち範囲を順次打設対象とする形態で、複数階層に亘って外壁のコンクリート打設を行う請求項２に記載の複合構造建物の施工方法。
【請求項４】
前記複合構造建物は、平面視において複数階層に亘って外壁の位置が連続して異なる部分を有する形状であり、先行打設した床スラブの外端部側に外壁の位置を割り出すための基準部を形成する請求項１〜３の何れか１項に記載の複合構造建物の施工方法。
【発明の詳細な説明】
【技術分野】
【０００１】
本発明は、鉄骨躯体部分とコンクリート床スラブとコンクリート外壁とからなる複数階層の複合構造建物の施工方法に関する。
【背景技術】
【０００２】
この種の複合構造建物は、鉄骨柱や鉄骨梁等の鉄骨躯体部分とコンクリート床スラブとが建物中央部に設けられ、鉄骨躯体部分とコンクリート床スラブの周囲を囲むようにコンクリート外壁が設けられている。
【０００３】
この複合構造建物の施工方法としては、まず、鉄骨躯体部分の建方を先行して複数階層に亘って行い、その後、コンクリート床スラブとコンクリート外壁のコンクリート打設を一度に行う形態で複数階層に亘って行うものが知られている（例えば、特許文献１参照。）。
【先行技術文献】
【特許文献】
【０００４】
【特許文献１】特開２０１１−２０２４９１号公報
【発明の概要】
【発明が解決しようとする課題】
【０００５】
上記特許文献１に記載の施工方法では、コンクリート床スラブとコンクリート外壁のコンクリート打設を一度に行うことで、工期の短縮化を図っている。しかしながら、施工状況等によっては、コンクリート床スラブとコンクリート外壁とを一度にコンクリート打設できる状況になるまで待つことになり、かえって工期の長期化を招く虞がある。
【０００６】
例えば、コンクリート外壁のコンクリート打設を行う際に、型枠の設置作業等で外部足場が必要となる。しかしながら、下層階側の施工状況等によっては、打設対象階層まで外部足場を建てることができない場合がある。この場合には、打設対象階層まで外部足場を建てられるまで、コンクリート床スラブとコンクリート外壁とのコンクリート打設を待たなければならず、工期の長期化を招くことになる。
【０００７】
この実情に鑑み、本発明の主たる課題は、鉄骨躯体部分、コンクリート床スラブ、及び、コンクリート外壁の夫々の工事をスムーズに進行させて、工期の短縮化を効果的に図る複合構造建物の施工方法を提供する点にある。
【課題を解決するための手段】
【０００８】
本発明の第１特徴構成は、鉄骨躯体部分とコンクリート床スラブとコンクリート外壁とからなる複数階層の複合構造建物の施工方法において、
前記鉄骨躯体部分の建方と前記床スラブのコンクリート打設とを先行して複数階層に亘って行い、その後、前記外壁のコンクリート打設を複数階層に亘って行う点にある。
【０００９】
本特徴構成によれば、下層階側の施工状況等によって外部足場を建てることができない場合でも、鉄骨躯体部分の建方と床スラブのコンクリート打設とを先行して行い、複数階層に亘って鉄骨躯体部分と床スラブとを先行して施工できる。そして、外部足場を建てられる状況になってから、外壁のコンクリート打設を行い、複数階層に亘って外壁を施工できる。このように、下層階側の施工状況等によって外部足場を建てられない等の制限があっても、鉄骨躯体部分、コンクリート床スラブ、及び、コンクリート外壁の夫々の工事をスムーズに進行させて、工期の短縮化を効果的に図ることができる。
【００１０】
本発明の第２特徴構成は、複数階層に亘って外壁のコンクリート打設を行うに当たり、打設起点階から順次上層階側に向かってコンクリートを打設していく複数の順打ち範囲に複数階層を区分けする点にある。
【００１１】
本特徴構成によれば、複数階層を複数の順打ち範囲に区分けするので、例えば、施工状況等によって、ある順打ち範囲でコンクリート打設を行えない状況となっても、別の順打ち範囲においてコンクリート打設を行うことができる。このように、施工状況等に応じて、複数の順打ち範囲の夫々においてコンクリート打設の工事を進めることができ、複数階層に亘る外壁のコンクリート打設の工事を効率よく進めることができる。
【００１２】
本発明の第３特徴構成は、異なる順打ち範囲を順次打設対象とする形態で、複数階層に亘って外壁のコンクリート打設を行う点にある。
【００１３】
本特徴構成によれば、ある順打ち範囲にてコンクリート打設すると、その次には別の順打ち範囲を打設対象とするので、先にコンクリート打設した順打ち範囲では、コンクリート打設後の養生期間を確保しつつ、別の順打ち範囲でのコンクリート打設の工事を進めることができる。これにより、複数の順打ち範囲に対して、コンクリート打設後の養生期間を確保しながら、連続的にコンクリート打設の工事を行うことができ、工期の短縮化を効果的に図ることができる。
【００１４】
本発明の第４特徴構成は、前記複合構造建物は、平面視において複数階層に亘って外壁の位置が連続して異なる部分を有する形状であり、先行打設した床スラブの外端部側に外壁の位置を割り出すための基準部を形成する点にある。
【００１５】
複合構造建物は、外壁の位置が複数階層に亘って連続して異なる部分を有するので、外壁のコンクリート打設を行うに当たり、所望位置に外壁を施工するために、各階層において外壁の位置を割り出すことが求められる。そこで、本特徴構成によれば、先行打設した床スラブに基準部を形成することで、各階層において、その基準部に基づいて外壁の位置を割り出すことができ、しかも、外壁と近い床スラブの外端部側に基準部を形成することで、外壁の位置の割り出し作業も簡易に且つ精度よく行うことができる。
【図面の簡単な説明】
【００１６】
【図１】建物の縦断側面図
【図２】上層部分の施工過程を示す縦断側面図
【図３】外壁のコンクリート打設の順序を説明する図
【図４】外壁の位置の割り出すための上層部分の要部を示す図
【図５】外壁のコンクリート打設の状況を示す図
【発明を実施するための形態】
【００１７】
本発明に係る複合構造建物の施工方法の実施形態を図面に基づいて説明する。
建物１００は、図１に示すように、下層部分１０１と上層部分１０２とからなり、下層部分１０１の上端部と上層部分１０２の下端部との間に免震装置１０３が設けられている。図１では、下層部分１０１の下方側部分と上層部分１０２における屋上部分を省略している。
【００１８】
上層部分１０２は、複数階層を有し、鉄骨柱１ａや鉄骨梁１ｂ等の鉄骨躯体部分１とコンクリート床スラブ２とが建物中央部に設けられ、鉄骨躯体部分１とコンクリート床スラブ２の周囲を囲むようにコンクリート外壁３が設けられている。この上層部分１０２が、本発明に係る複合構造建物に相当するので、以下、上層部分１０２の施工方法について説明する。ちなみに、下層部分１０１は、複数階層を有し、鉄骨躯体や鉄骨鉄筋コンクリート躯体等の躯体部分、コンクリート床スラブ、コンクリート外壁等から構成されている。
【００１９】
上層部分１０２の施工方法としては、鉄骨躯体部分１の建方と床スラブ２のコンクリート打設とを先行して複数階層に亘って行い、その後、外壁３のコンクリート打設を複数階層に亘って行う。まず、図２（ａ）中の実線及び図２（ｂ）にて示すように、上層部分１０２の全階層に亘って、鉄骨柱１ａや鉄骨梁１ｂ等の鉄骨躯体部分１の建方を行うとともに、床スラブ２のコンクリート打設を行い、鉄骨躯体部分１とコンクリート床スラブ２とからなる建物中央部を先行して施工する。図２（ａ）は、上層部分１０２の縦断側面図であり、図２（ｂ）は、鉄骨躯体部分１の建方と床スラブ２のコンクリート打設とを先行して行った状態を示す斜視図である。このように、鉄骨躯体部分１とコンクリート床スラブ２とからなる建物中央部を先行して施工した後、図２（ａ）中の点線にて示すように、上層部分１０２の全階層に亘って、外壁３のコンクリート打設を行い、コンクリート外壁３からなる建物外周部を施工する。
【００２０】
床スラブ２については、全ての部分を先行してコンクリート打設するのではなく、図２（ａ）中の点線及び図２（ｂ）に示すように、外壁３と床スラブ２との取り合い部分２ａだけを残して、それ以外の部分を先行してコンクリート打設する。そして、床スラブ２のうち、残した取り合い部分２ａは、外壁３と併せてコンクリート打設する。
【００２１】
鉄骨躯体部分１の建方については、下層階から上層階側に向かって上層部分１０２の全階層に亘って順次行い、床スラブ２のコンクリート打設についても、下層階から上層階側に向かって上層部分１０２の全階層に亘って順次行っていく順打ちとする。
【００２２】
外壁３のコンクリート打設については、床スラブ２とは異なり、図１及び図３に示すように、打設起点階から順次上層階側に向かってコンクリートを打設していく複数の順打ち範囲Ｊ１、Ｊ２に複数階層を区分けする。そして、異なる順打ち範囲Ｊ１、Ｊ２を順次打設対象とする形態で、上層部分１０２の全階層に亘って外壁３のコンクリート打設を行う。
【００２３】
この実施形態では、上層部分１０２が第１〜第８層までの８階層であり、１つの順打ち範囲を４階層とし、第１順打ち範囲Ｊ１と第２順打ち範囲Ｊ２の２つの順打ち範囲に区分けする。上層部分１０２において、第１層〜第４層を第１順打ち範囲Ｊ１に、且つ、第５層〜第８層を第２順打ち範囲Ｊ２に区分けする。そして、第１順打ち範囲Ｊ１を打設対象とすると、その次には第２順打ち範囲Ｊ２を打設対象とし、さらにその次には第１順打ち範囲Ｊ１を打設対象とするように、第１順打ち範囲Ｊ１と第２順打ち範囲Ｊ２とを交互に打設対象とする形態で、上層部分１０２の全階層に亘って外壁３のコンクリート打設を行う。
【００２４】
図３に示すように、（Ｉ）第１階層（第１順打ち範囲Ｊ１）のコンクリート打設を行った後、（ＩＩ）第５階層（第２順打ち範囲Ｊ２）のコンクリート打設を行い、矢印にて示すように、第１順打ち範囲Ｊ１及び第２順打ち範囲Ｊ２の夫々において、上層階側に向かって順打ちにてコンクリート打設していく。つまり、図１に示すように、下記の（Ｉ）〜（ＶＩＩＩ）の順番で、上層部分１０２の全階層に亘って外壁３のコンクリート打設を行う。コンクリート打設の間隔については、次の階層の準備が整い次第順次行うが、例えば、（Ｉ）第１階層における外壁３のコンクリート打設を行ってから１週間後に、（ＩＩ）第５階層における外壁３のコンクリート打設を行うように、１週間間隔で順次コンクリート打設を行う。
【００２５】
（Ｉ）第１階層（第１順打ち範囲Ｊ１）
（ＩＩ）第５階層（第２順打ち範囲Ｊ２）
（ＩＩＩ）第２階層（第１順打ち範囲Ｊ１）
（ＩＶ）第６階層（第２順打ち範囲Ｊ２）
（Ｖ）第３階層（第１順打ち範囲Ｊ１）
（ＶＩ）第７階層（第２順打ち範囲Ｊ２）
（ＶＩＩ）第４階層（第１順打ち範囲Ｊ１）
（ＶＩＩＩ）第８階層（第２順打ち範囲Ｊ２）
【００２６】
（Ｉ）〜（ＶＩＩＩ）の夫々では、外壁３の位置を割り出し、その割り出した外壁３の位置に対して型枠を設置し、設置した型枠にコンクリートを打設して外壁３を施工する。また、上述の如く、外壁３と併せて、床スラブ２と外壁３との取り合い部分２ａもコンクリート打設して施工する。
【００２７】
外壁３の位置の割り出しについて、図４に基づいて説明を加える。図４では、先行して施工する鉄骨躯体部分１と床スラブ２を実線にて示し、後から施工する外壁３と床スラブ２の取り合い部分２ａを点線にて示す。
【００２８】
建物１００の各部の位置を割り出すための基準となる基準線Ｋ（基準部に相当する）を、先行打設した床スラブ２の外端部側に形成（墨出）する。そして、基準線Ｋからの距離によって外壁３の位置を割り出すので、その外壁３の位置に相当する床等に外壁３の位置を割り出すための割出線を形成する。しかしながら、この実施形態では、床スラブ２の取り合い部分２ａを後から施工するので、外壁３の位置に相当する箇所には床スラブ２の取り合い部分２ａ等が存在しない。そこで、先行打設した床スラブ２の外端部側において、外壁３の位置から設定距離Ｐ（例えば、１ｍ）だけ基準線Ｋ側に寄せた位置に外壁３の位置を割り出すための割出線Ｗ１〜Ｗ４を形成（墨出）する。
【００２９】
この実施形態では、外壁３が、床スラブ２の外端部から立ち上がる腰壁３ａと垂れ下がる垂壁３ｂとを有しており、腰壁３ａ及び垂壁３ｂは、下方側部位の方が建物外側に位置する傾斜姿勢となっている。よって、外壁３の位置は、腰壁３ａ及び垂壁３ｂの上端部及び下端部の位置から決まることになる。そこで、腰壁３ａの下端部の位置から設定距離Ｐだけ基準線Ｋ側に寄せた位置に、腰壁３ａの下端部の位置を割り出すための第１割出線Ｗ１を形成（墨出）する。そして、腰壁３ａの上端部の位置を割り出すための第２割出線Ｗ２、垂壁３ｂの下端部の位置を割り出すための第３割出線Ｗ３、垂壁３ｂの上端部の位置を割り出すための第４割出線Ｗ４の夫々についても、第１割出線Ｗ１と同様に、夫々の位置から設定距離Ｐだけ基準線Ｋ側に寄せた位置に形成する。
【００３０】
ちなみに、図４に示すものでは、第１〜第４割出線Ｗ１〜Ｗ４の全てを、その腰壁３ａ及び垂壁３ｂに対応する階層における床スラブ２に形成しているが、第１〜第４割出線Ｗ１〜Ｗ４をどの階層における床スラブ２に形成するかは適宜変更が可能である。
【００３１】
このようにして、各階層において先行打設した床スラブ２の外端部側に、基準線Ｋだけでなく、第１割出線Ｗ１〜第４割出線Ｗ４を形成（墨出）しておくことで、各階層において外壁３の位置を精度よく且つ簡易に割り出すことができる。よって、割り出した外壁３の位置に対して、コンクリート打設用の型枠を精度よく設置できる。しかも、基準線Ｋ、及び、第１割出線Ｗ１〜第４割出線Ｗ４を、型枠の設置箇所から離れた床スラブ２の外端部側に形成しておくことで、型枠の設置作業途中においても、外壁３の位置を確認しながら型枠の位置調整を行うことができ、所望位置に対して精度よく型枠を設置できる。
【００３２】
特に、上層部分１０２は、図１に示すように、側面視及び平面視において複数階層に亘って外壁３の位置が連続して異なる曲面状部分を有する形状となっているので、各階層において外壁３を所望位置に施工するために、各階層における外壁３の位置を精度よく割り出すことが求められる。そこで、上述の如く、各階層において先行打設した床スラブ２の外端部側に、基準線Ｋ、及び、第１割出線Ｗ１〜第４割出線Ｗ４を形成（墨出）しておくことで、各階層における外壁３の位置を精度よく、しかも、素早く割り出すことができ、複雑な形状の外壁３であっても所望位置に適切に施工することができる。
【００３３】
図５に基づいて、型枠の設置状況について説明を加える。上述の如く、割り出した外壁３の位置等に基づいて、腰壁３ａ、垂壁３ｂ、及び、取り合い部分２ａの夫々に対して型枠を設置して、打設対象階層の外壁３における腰壁３ａ及び垂壁３ｂと、打設対象階層の床スラブ２における取り合い部分２ａとのコンクリート打設を行う。
【００３４】
図５は、（ＩＩ）第５階層における外壁３のコンクリート打設を行う場合を示している。この場合には、鉄骨躯体部分１と床スラブ２とを先行して施工しているが、１つ下の第４階層の外壁３における腰壁３ａ及び床スラブ２における取り合い部分２ａがまだ施工されておらず、型枠４を下方側から支持するサポート５を受け止め支持するための腰壁や床等が存在しない。そこで、鉄骨躯体部分１の上部に角材等の支持部材６を配置し、その支持部材６と先行打設した床スラブ２の外端部とに亘って角材７を掛け渡し、この角材７によってサポート５の下端部を受け止め支持する。また、場合によっては、鉄骨梁１ｂによってサポート５の下端部を受け止め支持することもある。そして、先行打設した床スラブ２の外端部に立設した枠組足場８と外部足場９とに亘って足場板１０を掛け渡し、型枠４の設置作業等の作業用床として足場板１０を利用する。このように、先行して施工した鉄骨躯体部分１及び床スラブ２を活用しながら型枠４を所望位置に設置することができる。
【００３５】
（ＩＩ）以外の（Ｉ）、（ＩＩＩ）〜（ＶＩＩＩ）の各階層における外壁３のコンクリート打設を行う場合には、図示は省略するが、１つ下の階層の外壁３における腰壁３ａ及び床スラブ２における取り合い部分２ａが施工されており、しかも、第１順打ち範囲Ｊ１と第２順打ち範囲Ｊ２とを交互にコンクリート打設することで、養生期間の経過によって強度も発現している。よって、第１順打ち範囲Ｊ１及び第２順打ち範囲Ｊ２の夫々において、コンクリートを順打ちにて打設していくに当たり、腰壁３ａ及び取り合い部分２ａによって型枠４を下方側から支持するサポート５を受け止め支持する。また、枠組足場８についても床スラブ２の取り合い部分２ａや先行打設した床スラブ２の外端部に立設する。
【００３６】
ここで、垂壁３ｂ、腰壁３ａ、及び、取り合い部分２ａのコンクリート打設については、例えば、垂壁３ｂと腰壁３ａと取り合い部分２ａとを一度にコンクリート打設したり、垂壁３ｂと取り合い部分２ａとを一度にコンクリート打設した後、腰壁３ａをコンクリート打設することが可能である。つまり、一度にコンクリート打設する範囲やコンクリート打設する順序については、施工状況等に応じて、適宜変更することができる。
【００３７】
〔別実施形態〕
（１）上記実施形態では、上層部分１０２を第１順打ち範囲Ｊ１と第２順打ち範囲Ｊ２の２つの順打ち範囲に区分けしているが、例えば、上層部分１０２を３つの順打ち範囲に区分けすることも可能であり、２つの順打ち範囲に限らず、３つ以上の順打ち範囲に上層部分１０２の複数階層を区分けすることもできる。また、各順打ち範囲は、同一数の階層からなる範囲に限らず、異なる数の階層からなる範囲としてもよい。
【００３８】
（２）上記実施形態では、異なる順打ち範囲を順次打設対象とする形態で、上層部分１０２の全階層に亘って外壁３のコンクリート打設を行うが、複数の順打ち範囲をどのような順序で打設対象とするかは適宜変更が可能である。
【００３９】
例えば、ある順打ち範囲を連続して打設対象とし、施工状況等によって、その順打ち範囲でコンクリート打設を行えない状況となると、別の順打ち範囲を打設対象とすることもできる。また、第１階層（第１順打ち範囲Ｊ１）→第２階層（第１順打ち範囲Ｊ１）→第５階層（第２順打ち範囲Ｊ２）→第６階層（第２順打ち範囲Ｊ２）→第３階層（第１順打ち範囲Ｊ１）→第４階層（第１順打ち範囲Ｊ１）→第７階層（第２順打ち範囲Ｊ２）→（ＶＩＩＩ）第８階層（第２順打ち範囲Ｊ２）のように、同一の順打ち範囲を連続して打設対象とした後、異なる順打ち範囲を打設対象とする形態で、上層部分１０２の全階層に亘って外壁３のコンクリート打設を行うこともできる。
【００４０】
（３）上記実施形態において、外壁３の形状については、側面視及び平面視において複数階層に亘って外壁３の位置が連続して異なる曲面状部分を有する形状に限らず、例えば、複数階層に亘って外壁３の位置が同一位置に位置する平面状部分を有する形状でもよく、各種の形状が適用可能である。
【００４１】
（４）上記実施形態において、上層部分１０２は、躯体部分が鉄骨躯体を含むものであればよく、鉄骨躯体に限らず、鉄骨鉄筋コンクリート躯体からなるものでも適用可能である。また、躯体部分の全体が、鉄骨躯体のみから構成されているものに限らず、躯体部分の一部が、鉄骨躯体や鉄骨鉄筋コンクリート躯体から構成されているものでもよい。
【符号の説明】
【００４２】
１        鉄骨躯体部分
２        コンクリート床スラブ
３        コンクリート外壁
１０２    上層部分（複合構造建物）
【図１】
0006441688.tif 000002
【図２】
0006441688.tif 000003
【図３】
0006441688.tif 000004
【図４】
0006441688.tif 000005
【図５】
0006441688.tif 000006